(57)【要約】      （修正有）【課題】記録ディスク駆動装置用のベースユニットにおいて、気密性を高め、気体の漏れ出しを防止する。【解決手段】複数の貫通孔３５を有し、中心軸回りに径方向に拡がるベース部３４と、ベース部の上側に配置され、環状のコアバック及びコアバックから径方向外方へと突出する複数のティースを有するステータコアと、ティースに巻回されたＵ相からなるＵ相コイル、Ｖ相からなるＶ相コイル及びＷ相からなるＷ相コイルと、各相のコイルから引き出されたＵ相コモン線４４（Ｕ）、Ｖ相コモン線４４（Ｖ）及びＷ相コモン線４４（Ｗ）と、ベース部の下面上に位置する回路基板６０とを備えた記録ディスク駆動装置用のベースユニットである。各相のコモン線は、各貫通孔をそれぞれ１本ずつ通ってベース部の下側に引き出されて回路基板に電気的に接続される。貫通孔は、封止材５５により封止される。【選択図】図３
2012074114.tif 000002
【特許請求の範囲】
【請求項１】
空気よりも低密度のガスが封入される記録ディスク駆動装置用のベースユニットであって、
複数の貫通孔を有し、中心軸回りに径方向に拡がるベース部と、
前記ベース部の上側に配置され、環状のコアバック及び該コアバックから径方向外方又は内方へと突出する複数のティースを有するステータコアと、
前記ティースに巻回されたＵ相からなるＵ相コイル、Ｖ相からなるＶ相コイル及びＷ相からなるＷ相コイルと、
前記各相のコイルから引き出されたＵ相コモン線、Ｖ相コモン線及びＷ相コモン線と、
前記ベース部の下面上に位置する回路基板と、を備え、
前記各相のコモン線は、前記各貫通孔をそれぞれ１本ずつ通って前記ベース部の下側に引き出され、
前記各相のコモン線が回路基板に電気的に接続されており、
前記貫通孔は、封止材により封止されていることを特徴とする記録ディスク駆動装置用のベースユニット。
【請求項２】
請求項１において、
前記各相のコモン線の端部が、前記回路基板のパッド部に電気的に接続されて中性点が構成されていることを特徴とする記録ディスク駆動装置用のベースユニット。
【請求項３】
請求項１において、
前記各相のコモン線の端部が、前記ベース部の下側で撚り合わされて中性点が構成された撚り線と、を備え、
前記撚り線が前記回路基板のパッド部に電気的に接続されていることを特徴とする記録ディスク駆動装置用のベースユニット。
【請求項４】
請求項１乃至３のうち何れか１つにおいて、
前記回路基板のパッド部は、前記貫通孔よりも径方向外側に位置していることを特徴とする記録ディスク駆動装置用のベースユニット。
【請求項５】
請求項１乃至４のうち何れか１つにおいて、
前記各相のコモン線は、前記ステータコアの異なるティースの周方向の間からそれぞれ引き出されていることを特徴とする記録ディスク駆動装置用のベースユニット。
【請求項６】
請求項１乃至５のうち何れか１つにおいて、
前記回路基板は、前記貫通孔を通って引き出された前記コモン線の少なくとも１つを前記パッド部に案内する溝部を有することを特徴とする記録ディスク駆動装置用のベースユニット。
【請求項７】
請求項１乃至６のうち何れか１つに記載されたベースユニットと、
前記ベース部の上側に位置し、中心軸を中心に回転自在であるロータハブと、
前記ステータコアと間隙を介して配置され、前記ロータハブに固定されるロータマグネットと、を備えたことを特徴とするスピンドルモータ。
【請求項８】
請求項７に記載されたスピンドルモータと、
前記スピンドルモータの前記ロータハブに取り付けられた記録ディスクと、
前記記録ディスクに対して情報の読み出し及び／又は書き込みを行うアクセス部と、
前記ベース部を含む第１ハウジング部材と第２ハウジング部材とから構成され、前記スピンドルモータ及び前記アクセス部を収容するハウジングと、を備えたことを特徴とするハードディスク駆動装置。
【発明の詳細な説明】
【技術分野】
【０００１】
本発明は、記録ディスク駆動装置用のベースユニット、このベースユニットを備えたスピンドルモータ及びこのスピンドルモータを備えたハードディスク駆動装置に関するものである。
【背景技術】
【０００２】
従来のハードディスク駆動装置では、磁気ディスクと、磁気ディスクに対してデータの書き込み及び読み出しを行うヘッドと、磁気ディスク及びヘッドを駆動する駆動部とを収納する筐体と、を備えている（特開２００６−４０４２３号公報参照）。
【０００３】
磁気ディスクは、同心円状に形成された複数のトラックを有しており、各トラックは、データが記憶されるデータ領域と、サーボ・データが記憶されるサーボ領域とを備えている。磁気ディスクに対するデータの書き込み及び読み出しは、磁気ディスクが回転している状態において、サーボ・データによって磁気ヘッドの位置を確認しながら実行される。
【０００４】
近年のハードディスク駆動装置では、高容量化の実現のためにトラック間隔をより狭くし、よりトラック密度を上げる傾向にある。トラック間隔をより狭くするためには、ヘッドの位置決めを制御するためのサーボ・データを高精細に記録する必要がある。
【０００５】
そこで、特開２００６−４０４２３号公報には、筐体内に空気よりも低密度の気体（例えば、ヘリウムや水素等）を封入することが開示されている。これにより、磁気ディスクのばたつきや回転ムラ等、いわゆるフラッタを低減して高精細にサーボ・データを記録する。
【０００６】
また、筐体内にヘリウム等が封入された状態で、ユーザがハードディスク駆動装置を使用すれば、磁気ディスクのフラッタが低減されているので、磁気ディスクの回転抵抗が小さくなり、モータの電流値を低減することができる。
【先行技術文献】
【特許文献】
【０００７】
【特許文献１】特開２００６−４０４２３号公報
【発明の概要】
【発明が解決しようとする課題】
【０００８】
ところで、このようなハードディスク駆動装置に搭載されるスピンドルモータでは、モータの各相のコイルから引き出した引出線を撚り合わせてコモン処理を行っている。撚り合わされて１つの線となるコモン線は、筐体に形成された貫通孔を通ってベースの外側まで引き出される。引き出されたコモン線は、貫通孔の下方で半田により回路基板に接続される。貫通孔は、半田と回路基板の粘着剤等によって封止される。
【０００９】
しかしながら、このような構造では、筐体内のヘリウム等の気体がハードディスク駆動装置外に漏れ出してしまい、筐体内の気密状態が低下する虞がある。
【００１０】
本発明は、かかる点に鑑みてなされたものであり、その目的は、記録ディスク駆動装置用のベースユニットにおいて、気密性を高め、気体の漏れ出しを防止することにある。
【課題を解決するための手段】
【００１１】
本発明の例示的な空気よりも低密度のガスが封入される記録ディスク駆動装置用のベースユニットを対象とし、複数の貫通孔を有し、中心軸回りに径方向に拡がるベース部と、該ベース部の上側に配置され、環状のコアバック及び該コアバックから径方向外方又は内方へと突出する複数のティースを有するステータコアと、該ティースに巻回されたＵ相からなるＵ相コイル、Ｖ相からなるＶ相コイル及びＷ相からなるＷ相コイルと、該各相のコイルから引き出されたＵ相コモン線、Ｖ相コモン線及びＷ相コモン線と、該ベース部の下面上に位置する回路基板と、を備え、該各相のコモン線は、該各貫通孔をそれぞれ１本ずつ通って該ベース部の下側に引き出され、該各相のコモン線が回路基板に電気的に接続されており、該貫通孔は、封止材により封止されている。
【発明の効果】
【００１２】
本発明によれば、各相のコモン線を各貫通孔にそれぞれ１本ずつ通し、貫通孔を封止材で封止する。これにより、ベースユニット内の気体が貫通孔を通って漏れ出すことを防止できる。
【図面の簡単な説明】
【００１３】
【図１】図１は、本発明の実施形態１に係るスピンドルモータを備えたハードディスク駆動装置の構成を示す縦断面図である。
【図２】図２は、スピンドルモータの構成を示す縦断面図である。
【図３】図３は、スピンドルモータの構成を示す平面図である。
【図４】図４は、実施形態２に係るスピンドルモータの構成を示す平面図である。
【図５】図５は、実施形態３に係るスピンドルモータの構成を示す平面図である。
【発明を実施するための形態】
【００１４】
以下、本発明の実施形態について図面を参照しながら説明する。なお、以下の実施形態は、本質的に好ましい例示であって、本発明、その適用物、あるいはその用途の範囲を制限することを意図するものではない。
【００１５】
《実施形態１》
図１は、本発明の実施形態１に係るスピンドルモータを備えたハードディスク駆動装置の構成を示す縦断面図である。図１に示すように、このハードディスク駆動装置１は、情報を記録する円板状の記録ディスク１１と、記録ディスク１１に対する情報の読み出し及び／又は書き込みを行うアクセス部１２と、記録ディスク１１を回転する電動式のスピンドルモータ１０（以下、「モータ１０」という）と、ハウジング１３とを含む。ハウジング１３は、記録ディスク１１、アクセス部１２及びモータ１０を収容する。モータ１０は３相ブラシレスモータである。
【００１６】
なお、本明細書では、図中の中心軸Ｊ１に沿う方向における上側を「上側」と呼び、図中の下側を「下側」と呼ぶこととする。また、本実施形態の説明において、各部材の位置関係や方向を上下左右で説明するときは、あくまで図面における位置関係や方向を示し、実際の機器に組み込まれたときの位置関係や方向を示すものではない。
【００１７】
ハウジング１３は、第１ハウジング部材１３ａと、第１ハウジング部材１３ａの開口を覆う板状の第２ハウジング部材１３ｂとを含む。第１ハウジング部材１３ａは、上部に開口を有するとともに、モータ１０及びアクセス部１２が内側の底面に取り付けられる。ハウジング１３の内部空間Ｓは、塵や埃が極度に少ない清浄な空間とされる。内部空間Ｓには、空気よりも低密度の気体、例えばヘリウムが封入されている。
【００１８】
記録ディスク１１は、モータ１０の上側に載置されてクランパ１４及び環状のスペーサ１５によりモータ１０に支持される。
【００１９】
アクセス部１２は、磁気ヘッド１２ａと、磁気ヘッド１２ａを支持するアーム１２ｂと、ヘッド移動機構１６とを含む。磁気ヘッド１２ａは、記録ディスク１１に近接して情報の読み出し及び／又は書き込みを磁気的に行う。ヘッド移動機構１６は、アーム１２ｂを移動することにより磁気ヘッド１２ａを記録ディスク１１及びモータ１０に対して相対的に移動する。これにより、磁気ヘッド１２ａは、回転する記録ディスク１１に近接した状態で記録ディスク１１上の必要な位置にアクセスし、情報の読み出し及び／又は書き込みを行う。
【００２０】
図２は、スピンドルモータの構成を示す縦断面図である。図２に示すように、このモータ１０は、アウターロータ型のモータであり、ロータ部２０と、ベースユニットを構成するステータ部３０と、流体を利用した流体動圧式の軸受機構２５とを備えている。
【００２１】
ロータ部２０は、ロータハブ２１と、ロータハブ２１の内側面に取り付けられた円筒状の金属製のヨーク３３と、ヨーク３３の内側面に取り付けられて中心軸Ｊ１の周囲に配置されるロータマグネット２３とを含む。ロータハブ２１の中央のシャフト孔２１ａには、軸受機構２５のシャフト２２が挿入される。シャフト孔２１ａの上下の開口部は、内部から開口側へ向かって徐々に内径が大きくなるテーパー状の傾斜部２１ｂを有する。ロータ部２０は、シャフト２２の中心軸Ｊ１を中心にステータ部３０に対して回転可能に支持される。
【００２２】
ロータマグネット２３は、多極着磁された円環状の磁石であり、ステータ４０との間で中心軸Ｊ１を中心とする回転力（トルク）を発生する。
【００２３】
ステータ部３０は、中央に孔部３１ａを有するベースプレート３１と、孔部３１ａの周囲で上側に延びるホルダ３１ｂに取り付けられたステータ４０と、ベースプレート３１の下面側で孔部３１ａを塞ぐプレート５２とを含む。
【００２４】
ベースプレート３１は、アルミニウム合金等により構成され、モータ１０が搭載されるハードディスク駆動装置１のハウジング１３の一部を構成している。ベースプレート３１表面は、電着塗装膜を有する。この電着塗装膜は、数μｍ程度の膜厚を有しており、絶縁性が確保される。ベースプレート３１上には、アクセス部１２（図１参照）等の機構が取り付けられる。孔部３１ａには、軸受機構２５のシャフト２２が挿入されて圧入及び接着等の手段により固定されている。
【００２５】
ステータ４０は、複数の珪素鋼板を積層してなるステータコア４１を含む。そして、ステータコア４１は、環状のコアバック４１ａと、コアバック４１ａから径方向外方へと突出する複数のティース４１ｂを有する。ティース４１ｂは、コアバック４１ａの周方向に間隔をあけて９つのスロットが構成される。また、ステータ４０は、ステータコア４１のティース４１ｂに巻回されるコイル４２をさらに含む。
【００２６】
ティース４１ｂに巻回されたコイル４２は、Ｕ相からなるＵ相コイル、Ｖ相からなるＶ相コイル及びＷ相からなるＷ相コイルで構成される。各相のコイル４２からは、３本の引出線４３（Ｗ相、Ｖ相、Ｕ相）と、３本のコモン線４４（Ｗ相、Ｖ相、Ｕ相）が引き出される。隣り合うティース４１ｂ間にはスロットが構成されており、各相の引出線４３及びコモン線４４は、異なるスロット間からそれぞれ引き出されている。
【００２７】
ベースプレート３１の下部は、上側に窪む段差部５１を有する。プレート５２は、この段差部５１内に配置され、孔部３１ａの下側の開口部を塞ぐように、接着剤等により固定されている。
【００２８】
軸受機構２５は、ロータハブ２１の上下の開口部に取り付けられた環状のシール部材２６を備える。シール部材２６とロータハブ２１の傾斜部２１ｂとの間には、傾斜部２１ｂに対向する傾斜面を有する環状部材２７が配置される。そして、シャフト２２とロータハブ２１のシャフト孔２１ａとの間、及びシャフト２２とシール部材２６との間には、流体として潤滑油が充填される。モータ１０の回転時には、ロータハブ２１の傾斜部２１ｂと環状部材２７との間に微小間隙が構成される。この微小間隙において、潤滑油を作動流体とする流体動圧が発生する。
【００２９】
そして、ロータハブ２１がシャフト２２に対して潤滑油を介して非接触にて支持され、ロータ部２０及びロータ部２０に取り付けられる記録ディスク１１がステータ部３０に対して回転される。
【００３０】
図３にも示すように、ベースプレート３１の下面は、中心軸Ｊ１回りに径方向に拡がる厚肉のベース部３４を有する。ベース部３４は、ベース部３４の上下を貫通する６つの貫通孔３５を有する。６つの貫通孔は、ステータ４０のコイル４２から引き出される３本の引出線４３（Ｗ相、Ｖ相、Ｕ相）及び３本のコモン線４４（Ｗ相、Ｖ相、Ｕ相）に対応して、１つの貫通孔３５に、引出線４３又はコモン線４４が１本のみ通されている。
【００３１】
ベース部３４は、貫通孔３５を有する底部３４ａと、底部３４ａの外周部から上側に延びる側壁部３４ｂとを含む。底部３４ａは、中心軸Ｊ１の周囲から貫通孔３５より径方向外側に向かって上側に窪んだ収容部３７を有する。
【００３２】
収容部３７内には、フレキシブル回路基板６０（以下、「回路基板６０」という）が配置される。より正確には、回路基板６０における、コイル４２の引出線４３及びコモン線４４と接続するためのパッド部６５が収容部３７内に配置される。回路基板６０は、各相の引出線４３及び各相のコモン線４４に対応して、６つのパッド部６５を有する。
【００３３】
回路基板６０は、絶縁層６２と、絶縁層６２に覆われた導電層６３とを含む。導電層６３の一部は、絶縁層６２から露出されて引出線４３及びコモン線４４に電気的に接続するパッド部６５を構成している。回路基板６０は、側壁部３４ｂ及びベースプレート３１の下面に沿って配置される。パッド部６５は、貫通孔３５よりも径方向外側で収容部３７に配置される。回路基板６０は、絶縁層６２上面の粘着剤層によってベースプレート３１に貼り付けられる。絶縁層６２は、例えばポリイミド等で構成される。導電層６３は、例えば銅箔等で構成される。
【００３４】
パッド部６５よりも貫通孔３５側に位置する絶縁層６２は、溝部６４を有する。溝部６４は、貫通孔３５に対して軸方向において一部が重なって配置される。貫通孔３５を通って引き出された引出線４３及びコモン線４４は、溝部６４に接触してパッド部６５側に曲げられる。引出線４３及びコモン線４４は、溝部６４によりパッド部６５に案内されるとともに、引出線４３及びコモン線４４と貫通孔３５の下側開口部との接触を防止できる。
【００３５】
ステータ４０のコイル４２は、導線４２ａと、導線４２ａを覆う絶縁被膜４２ｂとを含む。コイル４２の引出線４３及びコモン線４４の先端部は、絶縁被膜４２ｂが除去されて導線４２ａが露出される。引出線４３及びコモン線４４と貫通孔３５の下側開口部との接触を防止できるので、絶縁被膜４２ｂと下側開口部のエッジとが接触して、絶縁被膜４２ｂが剥がれてしまうことを抑制し、コイル４２の絶縁不良を防止できる。
【００３６】
各相の引出線４３はパッド部６５に半田付けされている。
【００３７】
各相のコモン線４４に接続されるパッド部６５は、導電層６３によって互いに電気的に接続されている。これにより、各相のコモン線４４をパッド部６５に半田付けすると、コモン線４４が電気的に接続されて中性点が構成される。
【００３８】
なお、収容部３７の窪み深さは、回路基板６０の厚さと半田４８の厚さの和より大きくなっており（図２参照）、半田４８の盛り上がり部分がベース部３４の下面から突出することを抑制できる。
【００３９】
貫通孔３５は、封止材５５により封止される。この封止材５５は、熱硬化性の接着剤が好ましく、引出線４３及びコモン線４４が貫通孔３５内で動かないように固定している。なお、封止材５５は、熱硬化性の接着剤に代えて、例えば紫外線硬化型の接着剤等、種々の接着剤を用いてもよい。また、気密性が得られるのであれば、接着剤以外の封止材を用いてもよい。例えば、塗布状態で液状又はゲル状であって、接着剤以外の封止材を用いてもよい。
【００４０】
このように、各貫通孔３５に各相のコモン線４４をそれぞれ１本ずつ通すことで、各相のコモン線４４を１つに撚り合わせた場合に各コモン線４４の間に生じる隙間を無くすことができる。
【００４１】
また、回路基板６０を、貫通孔３５よりも径方向外側の収容部３７内に配置しているので、貫通孔３５を封止材５５で封止する際に、封止材５５による貫通孔３５の封止を回路基板６０が妨げない。さらに、貫通孔３５を封止材５５によって確実に封止して気密性を確保することができる。これにより、ハードディスク駆動装置１のハウジング１３内と外部との気体等が貫通孔３５を通って出入りすることを防止できる。特に、ハードディスク駆動装置１のハウジング１３内に介在する気体等が貫通孔３５から漏出することを防止できる。また、本実施形態では、ハウジング１３内に空気に比べて分子量が小さいヘリウムが介在するが、ヘリウムが貫通孔３５から漏出することを防止できる。
【００４２】
次に、ステータ４０の各相の引出線４３及びコモン線４４を回路基板６０に電気的に接続する手順について、図２及び図３を参照しつつ説明する。
【００４３】
まず、回路基板６０をベースプレート３１の下面に貼り付ける。そして、各相の引出線４３及びコモン線４４は、異なるスロット間をそれぞれ通って、ベースプレート３１の各貫通孔３５に対して１本ずつ通される。各相の引出線４３及びコモン線４４を異なるスロットを通ってから引き出すので、作業者が各相の引出線４３及びコモン線４４を峻別する作業が容易になり、引出線４３及びコモン線４４を所定のパッド部６５に半田付けする作業効率が向上する。
【００４４】
なお、１つのスロットを複数の引出線４３又はコモン線４４が通って、ベースプレート３１の各貫通孔３５に対して１本ずつ通されてもよい。
【００４５】
このとき、ステータ４０をベースプレート３１のホルダ３１ｂに対して圧入等の手段により固定する。ベース部３４の下面に引き出された各相の引出線４３及びコモン線４４を、回路基板６０の溝部６４に接触してパッド部６５側に曲げる。そして、引出線４３及びコモン線４４の先端部の導線４２ａとパッド部６５とを半田付けする。
【００４６】
そして、貫通孔３５内に接着剤を塗布するとともに接着剤を加熱して硬化させる。硬化した後の接着剤により、ハウジング１３内の気密性を高めることができるとともに、引出線４３の貫通孔３５内における位置を固定することができる。これにより、各相の引出線４３及びコモン線４４の配線作業が完了する。
【００４７】
《実施形態２》
図４は、本実施形態２に係るスピンドルモータの構成を示す平面図である。基本的構成については前記実施形態１と同じであり、実施形態１と同じ部分については同じ符号を付し、相違点についてのみ説明する。
【００４８】
図４に示すように、パッド孔６５ａから引き出された各相のコモン線４４は、絶縁被膜４２ｂが除去された先端部の導線４２ａがベース部３４の外側で撚り合わされて１つの撚り線４５が構成される。この撚り線４５により、各相のコモン線４４が電気的に接続されて中性点が構成される。回路基板６０は、各相の引出線４３（Ｗ相、Ｖ相、Ｕ相）及び１つの撚り線４５に対応して、４つのパッド部６５を有する。各相の引出線４３及び撚り線４５は、先端部の導線４２ａが回路基板６０のパッド部６５に半田付けされ、回路基板６０と電気的に接続されている。
【００４９】
このように、各相のコモン線４４を各貫通孔３５にそれぞれ１本ずつ通し、ベースの外側で、各相のコモン線４４を撚り合わせてコモン処理を行うことで、各相のコモン線４４を撚り合わせた場合に各コモン線４４の間に生じる隙間を無くすことができる。貫通孔３５を封止材５５によって確実に封止してベースユニット内の気密性を確保することができる。
【００５０】
《実施形態３》
図５は、本実施形態３に係るスピンドルモータの構成を示す平面図である。基本的構成については前記実施形態１と同じであり、実施形態１と同じ部分については同じ符号を付し、相違点についてのみ説明する。
【００５１】
図５に示すように、回路基板６０のパッド部６５は、貫通孔３５に対して軸方向において重なるパッド孔６５ａを有する。回路基板６０は、パッド孔６５ａと貫通孔３５とが軸方向に重なるように収容部３７内に配置される。パッド孔６５ａは貫通孔３５よりも小さい。回路基板６０は、絶縁層６２上面の粘着剤層によって貼り付けられる。各相の引出線４３及びコモン線４４は、パッド孔６５ａを通ってパッド部６５の下面に達し、パッド部６５の下側で半田付けされ、回路基板６０と電気的に接続されている。ここで、各相のコモン線４４に接続されるパッド部６５は、導電層６３によって互いに電気的に接続されている。これにより、各相のコモン線４４をパッド部６５に半田付けすると、コモン線４４が電気的に接続されて中性点が構成される。貫通孔３５の下側開口部の周囲は、回路基板６０の粘着剤層により覆われる。貫通孔３５の下側に配置されたパッド孔６５ａは、半田４８により塞がれる。このように、貫通孔３５を回路基板６０及び半田４８によって封止されるため、ベースユニット内の気密性を確保することができる。
【００５２】
《その他の実施形態》
以上、スピンドルモータの各実施形態について説明したが、各実施形態に限定されるものではなく、発明の範囲を逸脱することなく種々の変形や修正が可能である。
【００５３】
ベースプレート３１とハウジング１３とが単一の部材で構成された形態について説明したが、ベースプレート３１とハウジング１３とを別々の部材で構成してもよい。
【００５４】
また、アウターロータ型のスピンドルモータ１０で構成された形態について説明したが、インナーロータ型のモータで構成された形態であってもよい。さらに、モータ１０の軸受機構２５は、流体動圧を利用するものに限定するものではなく、他の滑り軸受や他の構造の軸受を用いてもよい。
【００５５】
また、回路基板６０は、フレキシブル回路基板に限らず種々の回路基板６０を用いることができ、例えばコネクタ等のリジッド基板を用いてもよい。
【産業上の利用可能性】
【００５６】
以上説明したように、本発明は、記録ディスク駆動装置用のベースユニットにおいて、気密性を高めることができるという実用性の高い効果が得られることから、きわめて有用で産業上の利用可能性は高い。
【符号の説明】
【００５７】
１    ハードディスク駆動装置
１０    スピンドルモータ
１１    記録ディスク
１２    アクセス部
１３    ハウジング
１３ａ  第１ハウジング部材
１３ｂ  第２ハウジング部材
２１    ロータハブ
２３    ロータマグネット
３０    ステータ部（ベースユニット）
３４    ベース部
３５    貫通孔
４１    ステータコア
４１ａ  コアバック
４１ｂ  ティース
４２    コイル
４４    コモン線
４５    撚り線
５５    封止材
６０    回路基板
６４    溝部
６５    パッド部
Ｊ１    中心軸
【図１】
2012074114.tif 000003
【図２】
2012074114.tif 000004
【図３】
2012074114.tif 000005
【図４】
2012074114.tif 000006
【図５】
2012074114.tif 000007